(57)【要約】【課題】  ガタツキを抑え、分解・修理が容易にできること。【解決手段】  テープヘッドアセンブリ３０と、該テープヘッドアセンブリを上下運動させることによって磁気ヘッド３１の位置の粗調整を行うヘッド送り機構４０と、磁気ヘッド３１の位置の微調整を行うボイスコイルモータ５１，５３とを含み、前記テープヘッドアセンブリは、上下方向に延在する前記磁気ヘッド３１と、前記磁気ヘッド３１を保持するヘッドホルダ３２を有し、該ヘッドホルダ３２には、支点となるシャフト部材５５のシャフト５５ａが分解可能に挿入されており、前記ヘッドホルダ３２に前記シャフト５５ａを固定したシャフト固定ネジ７３を有している。【選択図】      図８
2005158184.tif 000002
【特許請求の範囲】
【請求項１】
磁気ヘッドを設けたテープヘッドアセンブリと、該テープヘッドアセンブリを上下運動させることによって前記磁気ヘッドの位置の粗調整を行うヘッド送り機構と、前記磁気ヘッドの位置の微調整を行うボイスコイルモータとを含み、前記テープヘッドアセンブリは、上下方向に延在する前記磁気ヘッドと、前記磁気ヘッドを一方の面に保持するヘッドホルダを有し、ヘッド送り機構は、前記ヘッドホルダの背面側で回転中心軸を上下方向とするよう位置したリードスクリューと、該リードスクリューを貫通させ前記テープヘッドアセンブリを上下運動させるヘッドリフトボディとを有し、前記ボイスコイルモータは、前記ヘッドホルダの後方に配置したボイスコイルと、該ボイスコイルを通して流れる電流と交叉する磁界を発生するための磁気回路とを有している磁気ヘッドアクチュエータアセンブリにおいて、
前記ヘッドホルダには、前記ヘッドホルダを上下方向に移動するときに、支点となるシャフト部材が分解可能に挿入されており、該シャフト部材は、シャフトと、該シャフトの一端に設けられているシャフトベースとを有し、前記シャフトベース側の前記シャフトの周囲には、第１の軸受け部材が設けられており、前記シャフトの先端側の周囲には、第２の軸受け部材が設けられており、さらに、前記ヘッドホルダに前記シャフトを固定したシャフト固定ネジを有していることを特徴とする磁気ヘッドアクチュエータアセンブリ。
【請求項２】
前記シャフト部材を挿入する前記ヘッドホルダには、前記ヘッドホルダの外面から前記シャフトを挿入して保持する前記ホルダの一部分にバネ性を持つようにシャフト保持溝が形成されており、前記シャフト保持溝に位置している前記シャフトが前記シャフト保持溝を狭める方向に前記シャフト固定ネジによって固定されていることを特徴とする請求項１記載の磁気ヘッドアクチュエータアセンブリ。
【請求項３】
前記シャフトベースと前記第１の軸受け部材との間には、バネ部材が介在されていることを特徴とする請求項１記載の磁気ヘッドアクチュエータアセンブリ。
【請求項４】
前記シャフトは、軸回りの一部に形成した平坦面を有し、前記ヘッドホルダには、前記平坦部に突き当たるようにして前記シャフト固定ネジによって前記シャフト部材が固定されていることを特徴とする請求項１又は３に記載の磁気ヘッドアクチュエータアセンブリ。
【請求項５】
前記シャフトと前記シャフトベースとが一体になっていることを特徴とする請求項１乃至４のいずれか１項に記載の磁気ヘッドアクチュエータアセンブリ。
【発明の詳細な説明】
【技術分野】
【０００１】
本発明はＤＬＴ（Digital Linear Tape）やＬＴＯ（Linear Tape Open）に代表されるリニアテープストレージシステムに用いられる磁気テープの磁気ヘッドアクチュエータアセンブリに関する。
【背景技術】
【０００２】
リニアテープストレージシステムにおける磁気テープのヘッド送り機構は、コンピュータシステムのバックアップ用として開発され、例えば、従来ＤＬＴとしてのデジタル線形テープドライブが知られている。
【０００３】
テープドライブは、磁気テープの磁気ヘッドアクチュエータアセンブリを含む。この磁気ヘッドアクチュエータアセンブリは、複数のローラによって規定された磁気テープ経路上で、巻取りスプールとテープカートリッジとの間に位置づけられる。動作中は、磁気テープが巻取りスプールとテープカートリッジとの間を前後に流れ、規定された磁気テープ経路上を流れる間で磁気ヘッドアクチュエータアセンブリに密に接近する。
【０００４】
磁気ヘッドアクチュエータアセンブリは、テープヘッドアセンブリと、ヘッド送り機構及びボイスコイルモータとから構成される。ヘッド送り機構は、テープヘッドアセンブリを上下運動させることによって磁気ヘッドの位置の粗調整を行うものである（例えば、特許文献１を参照）。
【０００５】
さらに、磁気ヘッドアクチュエータアセンブリでは、駆動手段としてボイスコイルモータのようなリニアモータを使用している。ボイスコイルモータは、磁気ヘッドの微調整を行うものである。
【０００６】
ボイスコイルモータは、磁気回路で発生された磁界と交叉する方向にボイスコイルに電流を流すことにより、この電流を磁界との相互作用に基づいて駆動力が発生する。この駆動力により、ボイスコイルモータは磁気ヘッドを保持しているヘッドホルダ（キャリアとも言う）を上下方向に移動することによって磁気ヘッドの微調整を行っている。ボイスコイルモータの可動部の支点となるシャフト部材は、ヘッドホルダに圧入することにより固定されている。
【０００７】
上述したように、テープドライブでは、ヘッド送り機構をステッピングモータによって磁気ヘッドの位置を粗調整し、ボイスコイルモータによって磁気ヘッドの位置を微調整する二段階の調整を行うものである。
【特許文献１】特開２００３-２０３３１８号公報（第２−４頁、図１〜図４）
【発明の開示】
【発明が解決しようとする課題】
【０００８】
従来の磁気ヘッドアクチュエータアセンブリでは、支点となるシェフト部材をヘッドホルダに圧入により固定されているので、磁気ヘッドアクチュエータアセンブリに故障などが起きた場合、再度、分解して修理することができないという問題がある。
【０００９】
それ故に本発明の課題は、分解・修理が可能な磁気ヘッドアクチュエータアセンブリを提供することにある。
【課題を解決するための手段】
【００１０】
本発明によれば、磁気ヘッド（３１）を設けたテープヘッドアセンブリ（３０）と、該テープヘッドアセンブリを上下運動させることによって前記磁気ヘッド（３１）の位置の粗調整を行うヘッド送り機構（４０）と、前記磁気ヘッド（３１）の位置の微調整を行うボイスコイルモータ（５１，５３）とを含み、
前記テープヘッドアセンブリは、上下方向に延在する前記磁気ヘッド（３１）と、該磁気ヘッド（３１）を一方の面に保持するヘッドホルダ（３２）を有し、ヘッド送り機構は、前記ヘッドホルダ（３２）の背面側で回転中心軸を上下方向とするよう位置したリードスクリュー（４１）と、該リードスクリューを貫通させ前記テープヘッドアセンブリ（３０）を上下運動させるヘッドリフトボディ（４２）とを有し、前記ボイスコイルモータ（５１，５３）は、前記ヘッドホルダ（３２）の後方に配置したボイスコイル（５１）と、該ボイスコイルを通して流れる電流と交叉する磁界を発生するための磁気回路（５３）とを有している磁気ヘッドアクチュエータアセンブリ（２０）において、
前記ヘッドホルダには、前記ヘッドホルダを上下方向に移動するときに、支点となるシャフト部材が分解可能に挿入されており、該シャフト部材は、シャフト（５５ａ）と、該シャフトの一端に設けられているシャフトベース（５５ｂ）とを有し、前記シャフトベース側の前記シャフトの周囲には、第１の軸受け部材（５７ａ）が設けられており、前記シャフトの先端側の周囲には、第２の軸受け部材（５７ｂ）が設けられており、さらに、前記ヘッドホルダ（３２）に前記シャフトを固定したシャフト固定ネジ（７３）を有していることを特徴とする磁気ヘッドアクチュエータアセンブリが得られる。
【００１１】
また、前記シャフト部材（５５）を挿入する前記ヘッドホルダ（３２）には、前記ヘッドホルダ（３２）の外面から前記シャフト（５５ａ）を挿入して保持する前記ホルダの一部分にバネ性を持つようにシャフト保持溝（７１）が形成されており、前記シャフト保持溝に位置している前記シャフトが前記シャフト保持溝を狭める方向に前記シャフト固定ネジ（７３）によってネジ締め固定されていることが望ましい。
【００１２】
また、前記シャフトベース（５５ｂ）と前記第１の軸受け部材（５７ａ）との間には、バネ部材（５９）が介在されていることが望ましい。
【００１３】
また、前記シャフト（１５５ａ）は、軸回りの一部に形成した平坦面（１５５ｃ）を有し、前記ヘッドホルダ（３２）には、前記平坦部に突き当たるようにして前記シャフト固定ネジ（１７３）によって前記シャフト部材が固定されていることが望ましい。さらに、前記シャフトと前記シャフトベースとが一体になっていてもよい。尚、上記括弧内の符号は、本発明の理解を容易にするために付したものであり、一例にすぎず、これらに限定されないのは勿論である。
【発明の効果】
【００１４】
本発明に係る磁気ヘッドアクチュエータアセンブリによれば、ヘッドホルダに支点となるシェフト部材を圧入に代えて挿入するように構成しネジによって固定しているので、ガタツキを抑えることができ、シャフト自体をヘッドホルダとともに一緒に動かす構造にすることで、分解・修理できることから、歩留まりが向上する。
【発明を実施するための最良の形態】
【００１５】
本発明では、テープヘッドアセンブリと、該テープヘッドアセンブリを上下運動させることによって磁気ヘッドの位置の粗調整を行うヘッド送り機構と、磁気ヘッドの微調整を行うボイスコイルモータとを含み、前記テープヘッドアセンブリが、上下方向に延在する磁気ヘッドと、該磁気ヘッドを一方の面に保持するヘッドホルダを有し、前記ヘッドホルダには、支点となるシャフト部材のシャフトが分解可能に挿入されてネジによって固定されていることを最良の形態とする。
【実施例１】
【００１６】
図１を参照して、関連する磁気テープの磁気ヘッドアクチュエータアセンブリ２０を含むテープドライブについて説明する。尚、図１は上蓋を取り外した状態のテープドライブを示す平面図である。
【００１７】
テープドライブ１０は、テープカートリッジ（図示せず）を受けるためのものであり、その内部に巻取りリール１１を内蔵している。巻取りリール１１はスプールとも呼ばれる。テープドライブ１０は、共通のベースを有する略直方体形状のハウジング（シャーシ）１２を有する。
【００１８】
ベースは第１及び第２のスピンドルモータ（リールモータ）１３、１４を有する。第１のスピンドルモータ１３は、ハウジング１２のベースに永久的に取り付けられた巻取りリール１１を有している。巻取りリール１１は、比較的高速で流れる磁気テープ（図示せず）を受けるように大きさが定められている。
【００１９】
第２のスピンドルモータ１４は、取外し可能なテープカートリッジを受けるように適合される。取外し可能なテープカートリッジは、ドライブ１０のハウジング１２に形成されたスロット１６を通してドライブ１０の中に手動で、または自動的に、所定の挿入方向に沿って挿入される。
【００２０】
テープカートリッジをスロット１６に沿って挿入下場合には、カートリッジは第２のスピンドルモータ１４と係合する。第１および第２のスピンドルモータ１３、１４を回転する前に、機械的なバックリング機構（図示せず）によってテープカートリッジは永久的に取付けられた巻取りリール１１に接続される。テープカートリッジと永久スプールの巻取りリール１１との間に位置づけられた多くのローラ（ガイドローラ）１５は、テープカートリッジと永久に取付けられた巻取りリール１１との間を磁気テープが比較的高速で前後に移動する際にそれを案内する。
【００２１】
なお、ハウジング１２は鉄系の磁性体からなる板金プレスシャーシで構成されているものとする。
【００２２】
テープドライブ１０は、磁気ヘッドアクチュエータアセンブリ２０をさらに含み、この磁気ヘッドアクチュエータアセンブリ２０は上記複数のローラ１５によって規定された磁気テープ経路（図示せず）上に、巻取りスプール１１とテープカートリッジとの間に位置づけられる。動作中、磁気テープは、巻取りスプール１１とテープカートリッジとの間を前後に流れ、規定された磁気テープ経路上を流れる間に磁気ヘッドアクチュエータアセンブリ２０に密に近接する。
【００２３】
次に、図２に図１を併せ参照して磁気ヘッドアクチュエータアセンブリ２０について概要を説明する。図２は、磁気ヘッドアクチュエータアセンブリ２０をテープヘッドアセンブリ３０とヘッド送り機構４０とに分解し、更にこのヘッド送り機構４０を回転部分と上下運動部分とに分解して全体の構成要素を示す分解斜視図である。
【００２４】
磁気ヘッドアクチュエータアセンブリ２０は、磁気テープに密に近接して磁気テープ面で移動するテープヘッドアセンブリ３０を有してハウジング１２のベース上に配備される。ハウジング１２のベース上には、更にこの磁気テープヘッドアセンブリ３０をハウジング１２のベースに垂直方向で上下させるためのガイドバー１７が設けられている。
【００２５】
図示されるように、磁気ヘッドアクチュエータアセンブリ２０は、テープヘッドアセンブリ３０とヘッド送り機構４０とから構成される。ここで、図１に示したハウジング１２のベース平面に垂直方向、すなわちガイドバー１７の延在方向を上下方向とする。
【００２６】
テープヘッドアセンブリ３０は、上下方向に延在する磁気ヘッド３１と、この磁気ヘッド３１を一方の面（以後、前面）に保持するヘッドホルダ３２と、磁気ヘッド３１と外部の回路（図示せず）との間を電気的に接続するために他方の面（以後、背面）側に延在する一対のフレキシブルプリント回路（以後、ＦＰＣと略称する）３３とを有する。テープヘッドアセンブリ３０は、ネジ３４をヘッド送り機構４０のヘッドリフトボディ４２に螺合することにより、ヘッドリフトボディ４２に組み付け固定される。
【００２７】
この結果、ヘッドホルダ３２の背面側では回転中心軸を上下方向とするヘッド送り機構４０のリードスクリュー４１が配置され、リードスクリュー４１を貫通させるヘッドリフトボディ４２がリードスクリュー４１の回転によりテープヘッドアセンブリ３０を上下運動させることとなる。
【００２８】
以下、図３および図４に図２を参照して、図１に示された磁気ヘッドアクチュエータアセンブリ２０に組込まれる上述したヘッド送り機構４０について説明する。
【００２９】
図３は、図２に示される分解された硬性要素を組立てたヘッド送り機構４０の斜視図である。また、図４は、図１のＩＶ−ＩＶ断面のうち、図３のヘッド送り機構４０部分を示す断面図である。
【００３０】
まず、ヘッド送り機構４０について説明する。
【００３１】
ヘッド送り機構４０の主要部分は、上下方向に延在する回転中心軸を有するネジ山付きリードスクリュー４１と、リードスクリュー４１の回転に従い回転中心軸に沿って上下運動するヘッドリフトボディ４２と、ヘッドアクチュエータアセンブリ２０のバックラッシュを防止するバックラッシュ防止機構４３とにより構成される。
【００３２】
リードスクリュー４１は、その下端側に、他の駆動手段によりこのリードスクリュー４１を回転中心軸の回りに回転させるリードスクリューギヤ４４を取り付けている。リードスクリューギヤ４４は、図示しないステップモータによって駆動され、リードスクリュー４１の軸方向へ移動することによって磁気ヘッド３１の位置の租調整を行うものである。
【００３３】
ヘッドリフトボディ４２は、側面から見て略Ｉ字形をなし、テープヘッドアセンブリ３０を保持しながらテープヘッドアセンブリ３０を上下動させる。このヘッドリフトボディ４２は半円筒部分の中空開口内部にバックラッシュ防止機構４３を配置する。
【００３４】
バックラッシュ防止機構４３は、半円筒部４２３の中空開口内部に配置された際に、リードスクリュー４１と噛合するネジ溝を持つ予圧ブッシュ４３１と、圧縮コイルによる予圧バネ４３２とで構成されている。
【００３５】
リードスクリュー４１の下端側には他の駆動手段によりこのリードスクリュー４１を回転中心軸の回りに回転させるリードスクリューギヤ４４が取り付けられている。リードスクリュー４１は、後述するヘッドリフトボディ４２に設けられる軸受け４５のネジ溝４５１と噛合する。リードスクリュー４１の回転中心の軸回りの回転は、バックラッシュ防止機構４３と協働して、ヘッドリフトボディ４２を回転中心軸の延在する方向である上下方向に移動させる。
【００３６】
次に、ヘッドリフトボディ４２の構造について詳細に説明する。ヘッドリフトボディ４２は、リードスクリュー４１と噛合するネジ溝４５１を有する軸受け４５と後述する軸受け４６およびガイド部４７を含めて構成される。
【００３７】
ヘッドリフトボディ４２は、図示されるように、下端面をなす底面部４２１、上端面をなす天井部４２２、および中空開口を持つ半円筒部４２３により主要部を構成し、底面部４２１および天井部４２２それぞれは半円筒部４２３の両外側方向に延在するアームを有しており、この延在方向に垂直な方向から見てＩ字形をなしている。また、底面部４２１および天井部４２２それぞれには、半円筒部４２３の中空開口位置にリードスクリュー４１を貫通させるための円形開口を有し、すべり軸受け４６を形成している。
【００３８】
底面部４２１は、リードスクリュー４１を貫通させる円形開口位置上面で半円筒部４２３の中空開口位置に、内面にリードスクリュー４１と噛合するネジ溝４５１を有する軸受け４５を固着している。
【００３９】
底面部４２１の一方のアームは他方のアームより長く側方へ延在し、その先端には略コ字形をなすガイド部４７が設けられている。このガイド部４７は図１に示されたガイドバー１７に嵌め込まれ上下方向に摺動可能となるように取り付けられ、ヘッドリフトボディ４２が回転するのを防止する。
【００４０】
天井部４２２は、一対のアームそれぞれにネジ穴を有し、上述したネジ３４によりヘッドリフトボディ４２にヘッドアセンブリ３０を固定している。
【００４１】
半円筒部４２３の中空開口はバックラッシュ防止機構４３を受け入れるために設けられている。
【００４２】
予圧ブッシュ４３１は、内壁面にネジ溝が切られた円筒部と、この円筒部の下端部で外周側へ延在した環状の受け部と、この受け部外周で約半円に相当する部分から上方へ延在する半円筒状部とを有し、円筒部と半筒状部との間に半環状の溝が形成される。図４に示されるように、この溝に挿入された状態で、予圧ブッシュ４３１とヘッドリフトボディ４２の天井部４２２の下面との間に、予圧バネ４３２が圧縮した状態で配置される。
【００４３】
予圧バネ４３２は圧縮コイルスプリングである。すなわち、この予圧バネ４３２により、予圧ブッシュ４３１には常にリードスクリュー４１の回転中心軸に沿って下向きの押圧力が作用すると共に、ヘッドリフトボディ４２には常にリードスクリュー４１の回転中心軸に沿って上向きの押圧力が作用している。ガイド部１７はヘッドリフトボディ４２に形成されているので、ガイド部１７にも常にリードスクリュー４１の回転中心軸に沿って上向きの押圧力が作用している。
【００４４】
このバックラッシュ防止機構４３により、リードスクリュー４１の回転に応じてヘッドリフトボディ４２が移動する際のバックラッシュを防止することができる。
【００４５】
磁気ヘッドアクチュエータアセンブリ２０では駆動手段としてボイスコイルモータ（ＶＣＭ）のようなリニアモータを使用している。ボイスコイルモータは、磁気ヘッド３１の微調整を行うものである。
【００４６】
以下、ボイスコイルモータについて説明する。図５乃至図８は、ボイスコイルモータを含む磁気ヘッドアクチュエータアセンブリ２０を示している。なお、図５乃至図８における磁気ヘッドアクチュエータアセンブリ２０は、図１乃至図４において説明した磁気ヘッドアクチュエータアセンブリ２０と少し形状が異なっているが、同じ機能を果たすので、同じ部分には同じ符号を付してボイスコイルモータの説明を加えることにする。
【００４７】
ボイスコイルモータは、ヘッドホルダ３２の後方に配置されている。ボイスコイルモータにおいてヘッドホルダ３２の後方には、ボイスコイル５１と、このボイスコイル５１を通して流れる電流と交叉する磁界を発生するための磁気回路５３とを有している。
【００４８】
ヘッドホルダ３２には、ヘッドホルダ３２を上下方向に移動する場合に、支点となるシャフト部材５５が設けられている。シャフト部材５５は、図８及び図９によって示したように、ヘッドホルダ３２に挿入されている丸棒形状のシャフト５５ａと、シャフト５５ａの一端に設けられている平板形状のシャフトベース５５ｂとを有している。
【００４９】
シャフト５５ａの軸方向の両端部は、中間部の直径寸法よりも少し小さい寸法となっている。シャフトベース５５ｂ側のシャフト５５ａにおいて、両端部のうちの一方側における端部の周囲には、第１の軸受け部材５７ａが設けられている。シャフト５５ａの先端側の他方の端部の周囲には、第２の軸受け部材５７ｂが設けられている。シャフトベース５５ｂは、ヘッドホルダ３１の外面に複数のネジ６１によって固定されている。シャフトベース５５ｂと第１の軸受け部材５７ａとの間には、バネ部材５９が介在されている。第２の軸受け部材５７ｂはヘッドホルダ３２に保持されている。
【００５０】
また、図７に示したように、シャフト部材５５を挿入するヘッドホルダ３２には、ヘッドホルダ３２の外面からシャフト５５ａを挿入する部分にまでバネ性を持たせるためのシャフト保持溝７１が形成されている。シャフト保持溝７１を有するヘッドホルダ３２には、複数のシャフト固定ネジ７３によってシャフト保持溝７１を狭める方向にネジ締め固定されている。
【００５１】
このような構成により、磁気回路で発生された磁界と交叉する方向にボイスコイル５１に電流を流すことにより、この電流を磁界との相互作用に基づいて駆動力が発生する。この駆動力により、ボイスコイルモータはヘッドホルダ３２をシャフト５５ａを支点として上下方向に移動することによって磁気ヘッド３１の微調整を行う。
【００５２】
尚、実施例１においては、シャフト５５ａの一端に第１のシャフトベース５５ｂを設けるようにしたが、シャフト５５ａと第１のシャフトベース５５ｂが一体となっている形態のものを用いても良い。
【実施例２】
【００５３】
図９乃至図１２は、磁気テープの磁気ヘッドアクチュエータアセンブリの実施例２を示している。なお、実施例２の磁気ヘッドアクチュエータアセンブリ２０は、図５乃至図８において説明した実施例１の磁気ヘッドアクチュエータアセンブリ２０の一部の構成を変形した構成となっているので、同じ部分には同じ符号を付して異なる構成以外の部分の説明を省略することにする。
【００５４】
図９乃至図１２を参照して、ヘッドホルダ３２には、ヘッドホルダ３２を上下方向に移動する場合に、支点となるシャフト部材１５５が設けられている。シャフト部材１５５は、ヘッドホルダ３２に挿入されている略丸棒形状のシャフト１５５ａと、シャフト１５５ａの一端に設けられている平板形状のシャフトベース１５５ｂとを有している。
【００５５】
シャフトベース１５５ｂ側のシャフト１５５ａの周囲には、図８に示した第１の軸受け部材５７ａと同様な第１の軸受け部材（図示せず）が設けられている。シャフト１５５ａの先端側の周囲には、図８に示した第２の軸受け部材５７ｂと同様な第２の軸受け部材（図示せず）が設けられている。シャフトベース５５ｂは、ヘッドホルダ３１の外面に複数のネジ１６１によって固定されている。シャフトベース１５５ｂと第１の軸受け部材との間には、図８に示したバネ部材５９と同様なバネ部材（図示せず）が介在されている。第２の軸受け部材はヘッドホルダ３２に保持されている。
【００５６】
シャフト１５５ａには、軸回りの一部に平坦部１５５ｃが形成されている。また、
図１０に示したように、ヘッドホルダ３２には、シャフト１５５ａの平坦部１５５ｃに突き当たるようにしてシャフト固定ネジ１７３によってシャフト部材１５５がネジ締め固定されている。
【００５７】
このような構成により、磁気回路で発生された磁界と交叉する方向にボイスコイル５１に電流を流すことにより、この電流を磁界との相互作用に基づいて駆動力が発生する。この駆動力により、ボイスコイルモータは、ヘッドホルダ３２をシャフト１５５ａを支点として上下方向に移動することによって磁気ヘッド３１の位置の微調整を行う。
【００５８】
尚、実施例１においては、シャフト５５ａの一端に第１のシャフトベース１５５ｂを設けるようにしたが、シャフト１５５ａと第１のシャフトベース１５５ｂが一体となっている形態のものを用いても良い。
【図面の簡単な説明】
【００５９】
【図１】本発明に関連する磁気ヘッドアクチュエータアセンブリを含むテープドライブを、上蓋を取り外した状態で示す平面図である。
【図２】図１に図示した磁気ヘッドアクチュエータアセンブリをテープヘッドアセンブリとヘッド送り機構とに分解し、更にヘッド送り機構を分解して主要の構成要素を示す分解斜視図である。
【図３】図２におけるヘッド送り機構の組立て斜視図である。
【図４】図３におけるヘッド送り機構の図１におけるＩＶ−ＩＶ線断面図である。
【図５】本発明の実施例１の形態に係る磁気ヘッドアクチュエータアセンブリを示す平面図である。
【図６】図５における磁気ヘッドアクチュエータアセンブリの正面図である。
【図７】図６における磁気ヘッドアクチュエータアセンブリのＶＩＩ−ＶＩＩ線断面図である。
【図８】図６におけるＶＩＩＩ−ＶＩＩＩ線断面面である。
【図９】本発明の実施例２の形態に係る磁気ヘッドアクチュエータアセンブリを示す平面図である。
【図１０】図９における磁気ヘッドアクチュエータアセンブリの正面図である。
【図１１】図１０における磁気ヘッドアクチュエータアセンブリのＸＩ−ＸＩ線断面図である。
【図１２】図７及び図８に示したシャフトを示す斜視図である。
【符号の説明】
【００６０】
１０    テープドライブ
２０    磁気ヘッドアクチュエータアセンブリ
３０    テープヘッドアセンブリ
３１    磁気ヘッド
３２    ヘッドホルダ
４０    ヘッド送り機構
４１    リードスクリュー
４２    ヘッドリフトボディ
４４    リードスクリューギヤ
５１    ボイスコイル
５３    磁気回路
５５，１５５    シャフト部材
５５ａ，１５５ａ    シャフト
５５ｂ    第１のシャフトベース
５７ａ    第１の軸受け部材
５７ｂ    第２の軸受け部材
５９    バネ部材
６１，１６１    ネジ
７１    シャフト保持溝
７３，１７３    シャフト固定ネジ
１５５ｂ    シャフトベース
１５５ｃ    平坦面
【図１】
2005158184.tif 000003
【図２】
2005158184.tif 000004
【図３】
2005158184.tif 000005
【図４】
2005158184.tif 000006
【図５】
2005158184.tif 000007
【図６】
2005158184.tif 000008
【図７】
2005158184.tif 000009
【図８】
2005158184.tif 000010
【図９】
2005158184.tif 000011
【図１０】
2005158184.tif 000012
【図１１】
2005158184.tif 000013
【図１２】
2005158184.tif 000014